(57)【要約】【課題】表示部の点灯モードとして省電力点灯モードと多電力点灯モードを有し、多電力点灯モードで動作している状態から、ユーザが省電力点灯モードへの切り替え操作を忘れても、確実に省電力点灯モードにすることができる携帯端末を提供する。【解決手段】点灯モードデータベース１５には、省電力と多電力の点灯モードの点灯時間を予め記憶している。点灯モード制御機能１３は、操作入力部２からの特定キーの長押しを検出すると、検出する毎に実行すべき点灯モードを切り替える。また、通信部１からの着信信号１ａの検出、開閉検出部３からの開閉検出、および、アプリケーション管理機能８からのアプリ起動・中断：終了通知、アプリ９〜１２からの閲覧切替操作通知のいずかの検出により、点灯モードを省電力点灯モードにする。点灯消灯実行機能１４は、決定された点灯モードの点灯時間にしたがって表示部５のバックライトを点灯消灯する。【選択図】  図２
2011151593.tif 000002
【特許請求の範囲】
【請求項１】
表示部を有し、複数の筐体が連結されて筐体間が自在に動く携帯端末であって、
前記筐体間の連結の変化を検出する筐体開閉検出手段と、
前記表示部の点灯時間の短い省電力の点灯モードとこれより点灯時間の長い多電力の点灯モードそれぞれの点灯時間を記憶する点灯モードデータベース記憶部と、
前記筐体開閉検出手段が連結状態の変化を検出したときに点灯モードを省電力点灯モードに決定し、前記点灯モードデータベース記憶部の前記決定された点灯モードの点灯時間で前記表示部の点灯を制御する制御手段と
を具備することを特徴とする携帯端末。
【請求項２】
操作入力部と表示部を有し、複数の筐体が連結されて筐体間が自在に動く携帯端末であって、
前記筐体間の連結の変化を検出する筐体開閉検出手段と、
前記表示部の点灯時間の短い省電力の点灯モードとこれより点灯時間の長い多電力の点灯モードそれぞれの点灯時間を記憶する点灯モードデータベース記憶部と、
前記操作入力部からの点灯モード切り替え操作により点灯モードを省電力点灯モードと多電力点灯モードのいずれかに決定すると共に、前記筐体開閉検出手段が連結状態の変化を検出したときに点灯モードを省電力点灯モードに決定し、前記点灯モードデータベース記憶部の前記決定された点灯モードの点灯時間で前記表示部の点灯を制御する制御手段と
を具備することを特徴とする携帯端末。
【請求項３】
表示部を有する携帯端末であって、
携帯通信網からの着信を検出する通信部と、
前記表示部の点灯時間の短い省電力の点灯モードとこれより点灯時間の長い多電力の点灯モードそれぞれの点灯時間を記憶する点灯モードデータベース記憶部と、
前記通信部が着信を検出したときに点灯モードを省電力点灯モードに決定し、前記点灯モードデータベース記憶部の前記決定された点灯モードの点灯時間で前記表示部の点灯を制御する制御手段と
を具備することを特徴とする携帯端末。
【請求項４】
表示部を有する携帯端末であって、
前記表示部の点灯時間の短い省電力の点灯モードとこれより点灯時間の長い多電力の点灯モードそれぞれの点灯時間を記憶する点灯モードデータベース記憶部と、
アプリケーションを実行して終了するときに、点灯モードを省電力点灯モードに決定し、前記点灯モードデータベース記憶部の前記決定された点灯モードの点灯時間で前記表示部の点灯を制御する制御手段と
を具備することを特徴とする携帯端末。
【請求項５】
操作入力部と表示部を有し、複数の筐体が連結されて筐体間が自在に動く携帯端末であって、
前記筐体間の連結の変化を検出する筐体開閉検出手段と、
携帯通信網からの着信を検出する通信部と、
前記表示部の点灯時間の短い省電力の点灯モードとこれより点灯時間の長い多電力の点灯モードそれぞれの点灯時間を記憶する点灯モードデータベース記憶部と、
前記操作入力部からの点灯モード切り替え操作により点灯モードを省電力点灯モードと多電力点灯モードのいずれかに決定すると共に、前記筐体開閉検出手段が連結状態の変化を検出したとき及び前記通信部が着信を検出したとき及びアラーム状態を検出したとき及びアプリケーションを実行して終了するとき及びアプリケーション実行中に閲覧する画面の切替操作が行われたときのいずれかを検出した場合に点灯モードを省電力点灯モードに決定し、前記点灯モードデータベース記憶部の前記決定された点灯モードの点灯時間で前記表示部の点灯を制御する制御手段と
を具備することを特徴とする携帯端末。
【発明の詳細な説明】
【技術分野】
【０００１】
本発明は、表示部の点灯時間や輝度を制御して省電力制御を行う携帯端末に関する。
【背景技術】
【０００２】
携帯端末では、表示部の省電力を行うために、一定時間キー操作がされないと、ＬＣＤ表示部のバックライトを微灯・消灯したり、有機ＥＬ表示部であれば有機ＥＬ自体を微灯・消灯している。すなわち、何らかのキー操作があると点灯およびタイマーが開始し、タイマー時間経過すると微灯・消灯している。このような携帯端末では、ユーザが長文のメールを読んでいるなどの途中で、表示部が微灯・消灯すると、キー操作を行って点灯させ、その後、タイマー時間が経過して微灯・消灯し、その都度、ユーザがキー操作を行う必要があり、使い勝手がよくない。
【０００３】
このような問題に対応した携帯機器がある（例えば、特許文献１参照。）。この携帯機器は、ＬＣＤ表示部のバックライトの点灯モードとして、点灯時間の短い電池節約モードと、点灯時間の長い通常使用モードを有し、ユーザが１個のキーを長押しするごとに、電池節約モードと通常使用モードとが切り替わる。これにより、ユーザは状況に応じて簡単に点灯モードを切り替えることができる。
【先行技術文献】
【特許文献】
【０００４】
【特許文献１】特開２００４−１５３７５６号公報（段落００３１−００３５、図４、および段落００３８−００３９）
【発明の概要】
【発明が解決しようとする課題】
【０００５】
特許文献１では、簡単なユーザ操作で点灯モードを切替えることができるが、ユーザ操作であるだけに、点灯時間の長い通常使用モードにした後、点灯時間の短い電池節約モードへの切り替えを忘れてしまい、知らない間に電池電力を消費してしまうという問題がある。
【０００６】
本発明は、表示部の点灯モードとして、点灯時間の短い省電力点灯モードと、比較的点灯時間の長い又は連続点灯の状態である多電力点灯モードを有し、多電力モードで動作している状態から、ユーザが省電力点灯モードへの切り替え操作を忘れても、確実に省電力点灯モードにすることができる携帯端末を提供することを目的とする。
【課題を解決するための手段】
【０００７】
上記目的を達成するために、本発明の携帯端末は、表示部を有し、複数の筐体が連結されて筐体間が自在に動く携帯端末であって、前記筐体間の連結の変化を検出する筐体開閉検出手段と、前記表示部の点灯時間の短い省電力の点灯モードとこれより点灯時間の長い多電力の点灯モードそれぞれの点灯時間を記憶する点灯モードデータベース記憶部と、前記筐体開閉検出手段が連結状態の変化を検出したときに点灯モードを省電力点灯モードに決定し、前記点灯モードデータベース記憶部の前記決定された点灯モードの点灯時間で前記表示部の点灯を制御する制御手段とを具備することを特徴とする。
【発明の効果】
【０００８】
本発明によれば、点灯モードとして、点灯時間の短い省電力モードと、比較的点灯時間の長い又は連続点灯の状態である多電力モードを有し、多電力モードで動作している状態から、ユーザが点灯モードの切り替え操作を忘れても、確実に省電力モードにすることができる。
【図面の簡単な説明】
【０００９】
【図１】本発明の実施例１に係る携帯端末１００の表示部５のバックライトの点灯モードの状態遷移図。
【図２】本発明の実施例１に係る携帯端末１００の関連部分のブロック図。
【図３】本発明の実施例１に係る携帯端末１００のソフトウェアで実行されるアプリケーション管理機能８の動作フローチャート。
【図４】本発明の実施例１に係る携帯端末１００のソフトウェアで実行される各アプリケーション機能９、１０、１１、１２の動作フローチャート。
【図５】本発明の実施例１に係る携帯端末１００のソフトウェアで実行される点灯モード制御機能１３および点灯消灯実行機能１４の動作フローチャート。
【発明を実施するための形態】
【００１０】
[実施例１]
図１は、本発明の実施例１に係る携帯端末１００の表示部５のバックライトの点灯モードの状態遷移図である。点灯モードは、省電力点灯モードと多電力点灯モードがある。多電力点灯モードは省電力点灯モードに比べて、輝度が明るい、または点灯時間が長いなどの比較的消費電力が多いモードである。
【００１１】
省電力点灯モード、多電力点灯モードともに、最初は点灯状態で始まり、微灯状態に変わり、そして消灯する。
【００１２】
省電力点灯モードは、一例として、点灯状態は、バックライト輝度が明るさ「３」、点灯時間が２５秒であり、その後、微灯状態は、バックライト輝度が明るさ「１」、微灯時間が３０秒であり、その後、消灯するモードである。
【００１３】
多電力点灯モードは、一例として、点灯状態は、バックライト輝度が明るさ「４」、点灯時間が∞秒、その後、微灯状態は、バックライト輝度が明るさ「１」、点灯時間が∞であり、その後、消灯するモードである。点灯時間が∞秒なので、そのままの状態が継続することになるが、この時間∞秒は一例であり、省電力点灯モードに比べて長い時間であればよい。
【００１４】
省電力点灯モード、多電力点灯モードの各状態は、一例であり、輝度または時間のみの差が有るようにしてもよく、また輝度、時間の数値はこの例に限らない。また、微灯状態なしで、点灯状態から消灯になってもよい。
【００１５】
省電力点灯モードと多電力点灯モード間の遷移は、ユーザがキー操作を行って切替操作により、一方から他方へ、他方から一方へと遷移する（図１のＡの条件やＢの条件）。例えば、特許文献１のように、１個のキーを長押しするごとに相互に切り替えてもよいし、別の方法として、メニュー画面上でキー操作により省電力点灯モードか多電力モードかを指定してもよい。
【００１６】
この切替操作は、ユーザが行うので、省電力点灯モードから多電力点灯モードに切替えた後、省電力点灯モードに戻す操作を忘れてしまう可能性があり、多電力点灯モードで知らない間に電池電力を消費してしまうという問題がある。
【００１７】
本発明では、省電力点灯モードに戻す操作を忘れてしまった場合においても、図１の状態遷移の下段に示す種々の条件ＣからＪを検出して、多電力点灯モードから省電力点灯モードに遷移させることにより、確実に省電力点灯モードにすることができる。
【００１８】
条件Ｃは、折り畳み式などの可動式筐体の開閉検出であり、筐体が開かれたとき及び閉じられたときなどである。条件Ｄは、携帯端末１００に対して、モバイル通信網から通話着信、メール着信などがあり、優先的に割込み処理されるときである。条件Ｅは、携帯端末１００の内部でアラーム、例えば、予定表に予め登録してある時刻になったときなど、優先的に割込み処理されるときである。
【００１９】
条件Ｆは、アプリケーションが起動したときである。条件Ｇは、実行中のアプリケーションが中断したときである。条件Ｈは、実行中のアプリケーションが終了したときである。この起動、中断、終了は、ユーザ操作によるものでも自動で発生するものでもよい。
【００２０】
条件Ｉは、アプリケーション実行中に別アプリケーションが起動したときである。アプリケーション実行中に別のアプリケーションが起動して同時並行に実行開始された時や、さらに並行処理中の２つのアプリケーションの内の１つが他のアプリケーションに切り替ったときなども含まれる。
【００２１】
条件Ｊは、実行中アプリケーションの中で、閲覧するドキュメント・画像などの変更操作が行われたときである。
【００２２】
このように、様々な条件で、省電力点灯モードに遷移するので、確実に多電力点灯モードから省電力点灯モードにすることができる。また、この様々な条件は、ユーザが点灯モードを意識せずに発生する条件なので不便にならず、多電力点灯を不要と判断する条件として有効である。
【００２３】
以下、この点灯モードの状態遷移を制御する構成について説明する。  
図２は、本発明の実施例１に係る携帯端末１００の関連部分のブロック図であり、（Ａ）は携帯端末１００のブロック図、（Ｂ）は携帯端末１００の中の点灯モードデータベース１５を説明する図、（Ｃ）は、決定点灯モード記憶部１６を説明する図である。なお、以下では、携帯端末１００は２つの筺体が開閉可能に接続された折り畳み式の端末であるとして説明する。
【００２４】
図２の（Ａ）において、携帯端末１００は、通信部１、操作入力部２、開閉検出部３、表示制御部４、表示部５、制御部６などから構成される。さらに、制御部６は、アラーム検出機能７、アプリケーション管理機能８、アプリケーションＡ機能９、アプリケーションＢ機能１０、着信アプリケーション機能１１、アラームアプリケーション機能１２、点灯モード制御機能１３、点灯消灯実行機能１４、点灯モードデータベース１５、決定点灯モード記憶部１６などを有する。
【００２５】
通信部１は、アンテナを介して、モバイル通信の基地局（不図示）との通信を行い、着信があった場合に着信信号１ａをアプリケーション管理機能８へ送出する。操作入力部２は、テンキーやタッチパネル等の操作入力手段である。
【００２６】
開閉検出部３は、折り畳み式の携帯端末１００の折り畳み状態が、閉状態から開状態になったことの検出および開状態から閉状態になったことの検出を行い、開検出及び閉検出３ａを点灯モード制御機能１３へ送出する。
【００２７】
表示制御部４は、ＬＣＤコントローラであり、画像信号４ａを表示部５へ送出する。表示部５は、ＬＣＤ等である。
【００２８】
制御部６は、図示しないＣＰＵ、ＲＯＭ、ＲＡＭなどから構成され、ＲＯＭに記憶されているソフトウェアに基づいて、アラーム検出機能７、アプリケーション管理機能８、アプリケーションＡ機能９、アプリケーションＢ機能１０、着信アプリケーション機能１１、アラームアプリケーション機能１２、点灯モード制御機能１３、点灯消灯実行機能１４などを実行する。制御部６は、また、点灯モードデータベース１５、決定点灯モード記憶部１６を有する。
【００２９】
アラーム検出機能７は、アラーム、例えば、予定表に記憶された時刻になった時点でアラームを検出する機能であり、検出した時点で、アラーム７ａをアプリケーション管理機能８に通知する。
【００３０】
アプリケーション管理機能８、アプリケーションＡ機能９、アプリケーションＢ機能１０、着信アプリケーション機能１１、アラームアプリケーション機能１２、点灯モード制御機能１３、点灯消灯実行機能１４のソフトウェア構成について簡単に説明する。
【００３１】
アプリケーション管理機能８は、各種のアプリケーションであるアプリケーションＡ機能９、アプリケーションＢ機能１０、着信アプリケーション機能１１、アラームアプリケーション機能１２の上位層であり、これらを起動・管理する。
【００３２】
アプリケーション管理機能８は、各種のアプリケーション単独、又はアプリケーションが実行中に他のアプリケーションを起動して他のアプリケーションに切替え、又はアプリケーションが実行中に優先的に実行する他の割込み処理すべきアプリケーション（着信アプリケーション機能１１、アラームアプリケーション機能１２）に切替え、又は２つのアプリケーションの同時実行、又は同時実行中の２つの内の１つを他のアプリケーションに切替え等の管理を行う。２つのアプリケーションの同時実行は、ＣＰＵや他の部分の処理能力が高い場合には可能である。
【００３３】
そして、アプリケーション管理機能８は、下位層の各種のアプリケーションの起動・中断・停止を監視して、アプリケーション状態８ａとして、点灯モード制御機能１３に通知する。
【００３４】
下位層のアプリケーションＡ機能９、アプリケーションＢ機能１０は、特に優先的に処理する必要のないアプリケーションであり、例えば、メールの閲覧機能、写真画像の閲覧機能、予定表作成機能、その他、何でもよい。
【００３５】
着信アプリケーション機能１１は、着信時の通信に関するアプリケーションであり、特に、メール着信時や通話着信時等の優先的に処理する必要があるものであり、アプリケーション管理機能８が割込み処理として起動する。
【００３６】
アラームアプリケーション機能１２は、アラーム発生時のアラーム処理に関するアプリケーションであり、優先的に処理する必要があるものであり、アプリケーション管理機能８が割込み処理として起動する。
【００３７】
各種のアプリケーション機能は、それぞれ実行中に、閲覧するドキュメント・画像などの変更操作が行われたときに閲覧切替え９ａ、１０ａ、１１ａ、１２ａを点灯モード制御機能１３に通知する。
【００３８】
点灯モード制御機能１３は、アプリケーション管理機能８からの各種アプリケーションの起動・中断・終了に関するアプリケーション状態８ａをチェックする。また、下位層アプリケーションからの閲覧切替え９ａ、１０ａ、１１ａ、１２ａをチェックする。それらのチェック結果に基づいて点灯モードを省電力点灯モードに切替える制御を行い、点灯消灯実行機能１４を起動する。
【００３９】
また、点灯モード制御機能１３は、操作入力部２からの点灯モード切り替え２ａをチェックして、点灯モードを省電力点灯モード又は多電力点灯モードに切替える制御を行い、点灯消灯実行機能１４を起動する。
【００４０】
また、点灯モード制御機能１３は、開閉検出部３からの開検出及び閉検出３ａをチェックして、点灯モードを省電力点灯モードに切替える制御を行い、点灯消灯実行機能１４を起動する。
【００４１】
点灯消灯実行機能１４は、点灯モード制御機能１３により指示されたバックライトの輝度や点灯時間等に基づいて、バックライトの点灯消灯を実行する。
【００４２】
図２の（Ｂ）は、点灯モードデータベース１５であり、点灯モード種別１５ａ、点灯微灯状態１５ｂを有する。図１で説明した点灯モード毎の点灯状態と微灯状態におけるバックライト輝度、時間が予め記憶されている。
【００４３】
図２の（Ｃ）は、決定点灯モード記憶部１６であり、点灯モード制御機能１３が点灯モードを決定して、決定した点灯モードの省電力点灯モードか多電力点灯モードのいずれかを決定点灯モード記憶部１６に記録する。
【００４４】
図３は、本発明の実施例１に係る携帯端末１００のアプリケーション管理機能８の動作フローチャートである。アプリケーション管理機能７は、アプリケーション起動チェック（ステップＳ１）とアプリケーション中断チェック（ステップＳ１１）とアプリケーション終了チェック（ステップＳ１４）をループしながら並行に処理する。
【００４５】
アプリケーション管理機能７は、まず、アプリケーション起動チェック（ステップＳ１）に入り、アプリケーションの起動要因として、通信部１からの着信信号１ａ、アラーム検出機能７からのアラーム７ａ、操作入力部２からの起動操作などの各種アプリケーションの起動要因のチェックを行う（ステップＳ２）。
【００４６】
アプリケーションＡとアプリケーションＢは緊急を要しないアプリケーションであり、割り込み以外の要因で起動されるアプリケーションとする。たとえば、メールの閲覧機能、写真画像の閲覧機能、予定表作成機能、その他、何でもよい。それらのアプリケーションを起動する要因は、操作入力部２からの操作や例えばタイマー起動であってもよい。
【００４７】
アプリケーション管理機能７は、ステップＳ２でアプリケーションＡの起動に関する要因を検出すると、アプリケーションＡ機能９を起動し（ステップＳ３）、アプリケーションＡ起動通知をアプリケーション状態８ａで点灯モード制御機能１３へ通知し（ステップＳ４）、ステップＳ１１の処理に入る。
【００４８】
ステップＳ２でアプリケーションＢの起動に関する要因を検出すると、アプリケーションＢ機能１０を起動し（ステップＳ５）、アプリケーションＢ起動通知をアプリケーション状態８ａで点灯モード制御機能１３へ通知すし（ステップＳ６）、ステップＳ１１の処理に入る。
【００４９】
ステップＳ２で通信部１からの着信信号１ａを検出すると、優先度の高い処理として割込み処理により、着信アプリケーション機能１１を起動し（ステップＳ７）、着信アプリケーション起動通知をアプリケーション状態８ａで点灯モード制御機能１３へ通知し（ステップＳ８）、ステップＳ１１の処理に入る。
【００５０】
ステップＳ２でアラーム検出機能７からのアラーム７ａを検出すると、同様に優先度の高い処理として割込み処理により、アラームアプリケーション機能１２を起動し（ステップＳ９）、アラームアプリケーション起動通知をアプリケーション状態８ａで点灯モード制御機能１３へ通知し（ステップＳ１０）、ステップＳ１１の処理に入る。
【００５１】
ステップＳ２で、いずれの起動要因もない場合は、ステップＳ１１の処理に入る。
【００５２】
次に、アプリケーション管理機能７は、アプリケーション中断チェック（ステップＳ１１）に入る。アプリケーション管理機能７は、起動したアプリケーションを監視して中断が発生したかをチェックする（ステップＳ１２）。中断が発生したら、アプリケーション中断通知をアプリケーション状態８ａで点灯モード制御機能１３へ通知する（ステップＳ１３）。
【００５３】
次に、アプリケーション管理機能７は、アプリケーション終了チェック（ステップＳ１４）に入る。アプリケーション管理機能７は、起動したアプリケーションを監視して終了が発生したかをチェックする（ステップＳ１５）。終了が発生したら、アプリケーション終了通知をアプリケーション状態８ａで点灯モード制御機能１３へ通知する（ステップＳ１６）。そして、最初のステップＳ１に戻り、ループを継続する。
【００５４】
ループを継続しながら、アプリケーション管理機能７は、これらの複数のアプリケーションを起動管理し、例えば、アプリケーションＡ機能９を起動し実行途中で、優先的に、着信アプリケーション機能１１やアラームアプリケーション機能１２を起動して切替え、それが終了すると元の実行途中のアプリケーションＡ機能９に戻す管理を行う。
【００５５】
また、アプリケーション管理機能７は、これらの複数のアプリケーションの内、２つを起動して、同時に並行実行させる。
【００５６】
複数のアプリケーションの並列起動実行ができるのは、ＣＰＵの処理能力が高くて、複数アプリケーションの同時並列処理が可能な構成の場合は、並列に起動できる構成となる。
【００５７】
図４は、本発明の実施例１に係る携帯端末１００の各アプリケーション機能９、１０、１１、１２の動作フローチャートである。  
図４の（Ａ）において、アプリケーションＡ機能９は、例えば、メールの閲覧機能、写真画像の閲覧機能、予定表作成機能、その他、何でもよい。アプリケーションＡ機能８は、アプリケーションＡを実行中に、閲覧するドキュメント・画像などの変更操作が行われたときに閲覧切替え８ａを点灯モード制御機能１３に通知する。そして、アプリケーションＡの実行終了をチェックする（ステップＳ２３）。この終了は、ユーザの終了操作入力があった場合でもよいし、他の終了要因でもよい。ステップＳ２３で、アプリケーションＡの実行が終了状態になれば、アプリケーションＡ機能８は終了する。
【００５８】
図４の（Ｂ）において、アプリケーションＢ機能１０は、例えば、メールの閲覧機能、写真画像の閲覧機能、予定表作成機能、その他、何でもよい。アプリケーションＡ機能９に比べて異なる部分は、ステップＳ３０、Ｓ３３のアプリケーションの違いだけであり、説明を省略する。
【００５９】
図４の（Ｃ）において、着信アプリケーション機能１１は、通信部１を介して基地局（不図示）との間で着信時の通信に関する制御を行い、特に、メール着信処理や通話着信処理機能である。アプリケーションＡ機能９に比べて異なる部分は、ステップＳ４０、Ｓ４３のアプリケーションの違いだけであり、説明を省略する。
【００６０】
図４の（Ｄ）において、アラームアプリケーション機能１２は、アラームの音声報知やブザー報知や表示等の機能を行う。アプリケーションＡ機能９に比べて異なる部分は、ステップＳ５０、Ｓ５３のアプリケーションの違いだけであり、説明を省略する。
【００６１】
図５は、本発明の実施例１に係る携帯端末１００の点灯モード制御機能１３と点灯消灯実行機能１４の動作フローチャートである。
【００６２】
図５の（Ａ）において、点灯モード制御機能１３は、点灯モード変更操作チェックに入る（ステップＳ６０）。点灯モード変更操作チェックは、図１の遷移図の記号Ａ「点灯モード切替操作あり」、Ｂ「点灯モード切替操作あり」に該当する。点灯モード変更操作チェックでは、ユーザ操作の点灯モード切替２ａをチェックし(ステップＳ６１)、変更操作があれば、決定点灯モード記憶部１６に記憶されている現在の点灯モードを読み取り、それとは別の点灯モードに切替えて、決定点灯モード記憶部１６に記憶する(ステップＳ６２)。このユーザ操作は、特定のキーの長押し等による点灯モードの相互切替えの場合である。なお、メニュー画面により、直接、点灯モードとして、省電力点灯モードにするか多電力点灯モードにするかを直性指定する方法であってもよい。
【００６３】
次に、点灯モード制御機能１３は、ステップＳ６２で新しく決定した点灯モードに関する点灯モードデータベース１５の点灯時間、微灯時間を読み取って、点灯消灯実行機能１４が管理する点灯タイマー、微灯タイマーそれぞれにセットする（ステップＳ６３）。また、決定した点灯モードに関する点灯モードデータベース１５の点灯輝度、微灯輝度を読み取って、点灯消灯実行機能１４が管理する点灯輝度レジスタ、微灯輝度レジスタそれぞれにセットする（ステップＳ６４）。そして、点灯消灯実行機能１４を起動する(ステップＳ６５)。
【００６４】
次に、点灯モード制御機能１３は、省電力点灯モードへの遷移条件チェックに入る（ステップＳ７０）。遷移条件は、図１の遷移図の記号Ｃ〜Ｊの条件であり、そのいずれかがステップＳ７１で検出されれば、点灯モードとして省電力点灯モードを設定するものである。
【００６５】
ステップＳ７１での検出において、図１の記号Ｃ「可動式筐体の開閉検出」に該当するのは、開閉検出部３からの開検出及び閉検出３ａの検出である。図１の記号Ｄ「着信割込み検出」に該当するのは、アプリケーション管理機能８からのアプリケーション状態８ａによる着信アプリ起動通知である。図１の記号Ｅ「アラーム割込み検出」に該当するのは、アプリケーション管理機能８からのアプリケーション状態８ａによるアラームアプリ起動通知である。
【００６６】
図１の記号Ｆ「アプリ起動検出」に該当するのは、アプリケーション管理機能８からのアプリケーション状態８ａによるアプリ起動通知である。図１の記号Ｇ「アプリ中断検出」に該当するのは、アプリケーション管理機能８からのアプリケーション状態８ａによるアプリ中断通知である。図１の記号Ｈ「アプリ終了検出」に該当するのは、アプリケーション管理機能８からのアプリケーション状態８ａによるアプリ終了通知である。
【００６７】
図１の記号Ｉ「アプリ実行中に別アプリ起動検出」に該当するのは、アプリケーション管理機能８からのアプリケーション状態８ａによる別アプリ起動通知である。
【００６８】
図１の記号Ｊ「実行中アプリの中で、閲覧するドキュメント・画像などの変更操作時」に該当するのは、各アプリケーション機能９、１０、１１、１２からの閲覧切替９ａ、１０ａ、１１ａ、１２ａによるいずれかの閲覧切替通知である。
【００６９】
点灯モード制御機能１３は、ステップＳ７１で、これらの遷移条件のいずれかを検出すると、決定点灯モード記憶部１６に省電力点灯モードを書き込む（ステップＳ７２）。そして、点灯モードデータベース１５の省電力点灯モードの点灯時間２５秒、微灯時間３０秒を読み取って、点灯消灯実行機能１４が管理する点灯タイマー、微灯タイマーそれぞれにセットする（ステップＳ７３）。また、点灯モードデータベース１５の省電力点灯モードの点灯輝度、微灯輝度を読み取って、点灯消灯実行機能１４が管理する点灯輝度レジスタ、微灯輝度レジスタそれぞれにセットする（ステップＳ７４）。そして、点灯消灯実行機能１４を起動する(ステップＳ７５)。  
そして、最初のステップＳ６０へ戻り、ループを継続する。
【００７０】
図５の（Ｂ）において、点灯モード制御機能１３により起動された点灯消灯実行機能１４は、点灯輝度レジスタの明るさ条件で表示部５のバックライトを点灯する(ステップＳ８０)。次に点灯タイマーをデクリメントし（ステップＳ８１）、点灯タイマー値をチェックして(ステップＳ８２)、設定された点灯時間が経過するまで待つ。タイマー値＝零、すなわち、設定された点灯時間が経過したら、次のバックライトの微灯状態に入る。
【００７１】
点灯消灯実行機能１４は、微灯輝度レジスタの明るさ条件で表示部５のバックライトを微灯する(ステップＳ８３)。次に微灯タイマーをデクリメントし（ステップＳ８４）、微灯タイマー値をチェックして(ステップＳ８５)、設定された微灯時間が経過するまで待つ。タイマー値＝零、すなわち、設定された微灯時間が経過したらバックライトを消灯して（ステップＳ８６）、終了する。
【００７２】
なお、折り畳み式筐体の開閉検出は、他のスライド式などの筐体の動きの検出であってもよい。
【００７３】
以上説明したように、本発明の実施例１によれば、各種アプリケーション実行中に、ユーザの希望でユーザ操作により自由に点灯モードを省電力と多電力に切替えることができるようにした上で、ユーザが多電力に切替えたあと、省電力に戻す操作を忘れたとしても、（Ｃ）可動式筐体の開閉検出、（Ｄ）着信割込み検出、（Ｅ）アラーム割込み検出、（Ｆ）アプリケーション起動検出、（Ｇ）アプリケーション中断検出、（Ｈ）アプリケーション終了検出、（Ｉ）アプリケーション実行中に別アプリケーション起動検出、（Ｊ）実行中アプリケーションの中で閲覧するドキュメント・画像などの変更操作が行われたことの検出により、いずれかの検出が行われることで、確実に省電力点灯モードに戻すことができ、操作性と省電力を両立することができる。
【００７４】
上記の実施例１では、省電力点灯モードに戻す条件として、上記（Ｃ）〜（Ｊ）の多数の条件を検出する機能を有し、１つでも検出すると省電力点灯モードに戻した。これとは異なる別の実施例として、上記（Ｃ）〜（Ｊ）の多数の条件を検出する機能を全て有するのではなく、以下に示すように、１つまたは複数の条件を検出する機能を備え、検出機能を少なくしてもよい。
【００７５】
［実施例２］
実施例２として、条件（Ｃ）可動式筐体の開閉検出のみを行うようにしてもよい。その場合、図２（Ａ）の点灯モード制御機能１３に入力される信号は、開閉検出部３からの開検出及び閉検出３ａのみでよく、図５の点灯モード制御機能１３のステップＳ７１における遷移条件のチェックは、開閉検出（Ｃ）のみでよい。
【００７６】
実施例２によれば、可動式筐体の開閉検出は頻繁に行われるので、これのみでも、確実に省電力点灯モードにすることができる。
【００７７】
［実施例３］
実施例３として、条件（Ｈ）アプリケーション終了検出のみを行うようにしてもよい。その場合、図２（Ａ）の点灯モード制御機能１３に入力される信号は、アプリケーション管理機能８からのアプリケーション状態８ａのみでよく、図５の点灯モード制御機能１３のステップＳ７１における遷移条件のチェックは、アプリ終了通知（Ｈ）のみでよい。
【００７８】
実施例３によれば、アプリケーション終了は頻繁に行われるので、これのみでも、確実に省電力点灯モードにすることができる。
【００７９】
［実施例４］
実施例４として、条件（Ｄ）着信割込み検出、又は条件（Ｅ）アラーム割込み検出のいずれか一方のみを備えるようにしてもよい。その場合、図２（Ａ）の点灯モード制御機能１３に入力される信号は、アプリケーション管理機能８からのアプリケーション状態８ａのみでよく、図５の点灯モード制御機能１３のステップＳ７１における遷移条件のチェックは、着信アプリ起動通知（Ｄ）、又はアラームアプリ起動通知（Ｅ）のいずれか一方のみを備えればよい。
【００８０】
実施例４によれば、着信割込み、又はアラーム割込みの一方のみであっても、頻繁に行われるので、これのみでも、確実に省電力点灯モードにすることができる。
【符号の説明】
【００８１】
１  通信部
２  操作入力部
３  開閉検出部
４  表示制御部
５  表示部
６  制御部
７  アラーム検出機能
８  アプリケーション管理機能
９  アプリケーションＡ機能
１０  アプリケーションＢ機能
１１  着信アプリケーション機能
１２  アラームアプリケーション機能
１３  点灯モード制御機能
１４  点灯消灯実行機能
１５  点灯モードデータベース
１６  決定点灯モード記憶部
１００  携帯端末
【図１】
2011151593.tif 000003
【図２】
2011151593.tif 000004
【図３】
2011151593.tif 000005
【図４】
2011151593.tif 000006
【図５】
2011151593.tif 000007